(57)【要約】【課題】本発明はカムを回動（回転）させる際に、接続対象物との接触若しくは非接触を変えることができるカム構造を提供する。【解決手段】本目的は電子部品内で回動（回転）することで他の部品と接触若しくは非接触させるカム構造において、カムのカム部形状を任意に変化させ、かつ、カムを回動（回転）させた際に、任意に変えた部分では他の部品と接触若しくは非接触することにより達成でき、例えば、コネクタ１０内で回動することで、コネクタ１０内に挿入される接続対象物とコンタクト１４、１６とを接触させるコネクタ用カム構造において、カムのカム部５４の形状を任意に変化させ、かつ、カムを回動（回転）させた際に、任意に変えた部分では接続対象物にコンタクト１４、１６が接触若しくは非接触することにより達成できる。【選択図】  図１
2008059883.tif 000002
【特許請求の範囲】
【請求項１】
電子部品内で回動（回転）することで他の部品と接触若しくは非接触させるカム構造において、
カムのカム部形状を任意に変化させ、かつ、カムを回動（回転）させた際に、任意に変えた部分では他の部品と接触若しくは非接触することを特徴とするカム構造。
【請求項２】
カム部を任意に変化させたカムを交換することにより、他の部品との接触若しくは非接触させる位置を変えることを特徴とする請求項１記載のカム構造。
【請求項３】
カムを所定の距離だけ移動することにより他の部品との接触若しくは非接触させる位置を変えることを特徴とする請求項１記載のカム構造。
【請求項４】
カムのカム部の回動（回転）方向を逆方向に、９０度回動（回転）させることにより他の部品との接触若しくは非接触させる位置を変えることを特徴とする請求項１、２又は３記載のカム構造。
【請求項５】
コネクタ内で回動（回転）することで、コネクタ内に挿入される接続対象物とコンタクトとを接触させるコネクタ用カム構造において、
カムのカム部の形状を任意に変化させ、かつ、カムを回動（回転）させた際に、任意に変えた部分では前記接続対象物に前記コンタクトが接触若しくは非接触することを特徴とするコネクタ用カム構造。
【請求項６】
カム部を任意に変化させたカムを交換することにより、接続対象物との接触若しくは非接触させる位置を変えることを特徴とする請求項５記載のコネクタに使用するコネクタ用カム構造。
【請求項７】
カムを所定の距離だけ移動することにより接続対象物との接触若しくは非接触させる位置を変えることを特徴とする請求項５記載のコネクタ用カム構造。
【請求項８】
カムのカム部の回動（回転）方向を逆方向に、９０度回動（回転）させることにより接続対象物との接触若しくは非接触させる位置を変えることを特徴とする請求項５、６又は７記載のコネクタ用カム構造。
【請求項９】
接続対象物と着脱自在に嵌合するコネクタであって、該接続対象物と接触する接触部を有する複数のコンタクトと、該コンタクトが保持・配列されるとともに前記接続対象物が挿入される嵌合口を有するハウジングと、前記コンタクトを押圧するカム部を有する回動部材とを備えるコネクタにおいて、
前記ハウジングには前記回動部材の挿抜手段を有し、前記コンタクトは一端側に前記接続対象物と接触する接触部と他端側に前記回動部材のカム部により押圧される押受部とを有し、前記回動部材が前記コンタクトの押受部を押圧し、かつ、前記ハウジング内で回動できるように装着されるとともに前記カム部の形状を任意に変化させ、かつ、カム部を回動（回転）させた際に、任意に変えた部分では前記接続対象物に前記コンタクトが接触若しくは非接触することを特徴とするコネクタ。
【請求項１０】
カム部を任意に変化させた回動部材を交換することにより、接続対象物との接触若しくは非接触させる位置を変えることを特徴とする請求項９記載のコネクタ。
【請求項１１】
回動部材を所定のピッチ距離分だけ移動することにより接続対象物との接触若しくは非接触させる位置を変えることを特徴とする請求項９記載のコネクタ。
【請求項１２】
回動部材のカム部の回動（回転）方向を逆方向に、９０度回動（回転）させることにより接続対象物との接触若しくは非接触させる位置を変えることを特徴とする請求項９、１０又は１１記載のコネクタ。
【請求項１３】
前記コンタクトは一端側に前記接続対象物と接触する接触部と他端側に前記回動部材のカム部により押圧される押受部とを有する第一片と、一端側にもう一つの接触部若しくは固定部を有するとともに前記接触部と対向するように延設された延設部と他方側に基板と接続する接続部とを有する第二片と、前記第一片と前記第二片とを連結する連結支点部とを備え、前記ハウジングは前記コンタクトの接触部を被覆する天井部を有し、前記回動部材は回動させるための操作部と長手方向に連設するとともに前記押受部を押圧するカム部とを備え、前記カム部が前記コンタクトの接続部と押受部との間で回動するように前記ハウジングに装着することを特徴とする請求項９、１０又は１１、１２記載のコネクタ。
【請求項１４】
前記コンタクトは一端側に前記接続対象物と接触する接触部と他端側に前記回動部材のカム部により押圧される押受部とを有する第一片と、一端側に基板に接続する接続部と他方側に前記押受部と対向するように延設された延設部とを有する第二片と、前記第一片と前記第二片とを連結する連結支点部とを備え、前記ハウジングは前記コンタクトの接触部を被覆する天井部を有し、前記回動部材は回動させるための操作部と長手方向に連設するとともに前記押受部を押圧するカム部とを備え、前記カム部が前記コンタクトの延設部と押受部との間で回動するように前記ハウジングに装着することを特徴とする請求項９、１０又は１１、１２記載のコネクタ。
【請求項１５】
前記接続部と連結支点部との中間にもう一つの接触部を設けることを特徴とする請求項１４記載のコネクタ。
【請求項１６】
請求項１３及び請求項１４記載の前記コンタクトを千鳥に配列することを特徴とするコネクタ。
【発明の詳細な説明】
【技術分野】
【０００１】
本発明は、電気又は電子機器に使用されるカム構造に関するもので、特にカムの形状を変化させることで相手物との接触若しくは非接触を任意に変えることができるカム構造に関するものである。
【背景技術】
【０００２】
機械構造分野においては、機構カムとして、カム形状を変えることで、タイミングを変える方法がよく取られている。しかし、機械分野においても接触若しくは非接触を変えるということはなく、また、同様に電気又は電子機器の分野においても、該機器が小型化する一方で、カム形状を変えて、接触若しくは非接触を変えるようなことは行なわれていなかった。
例えば、 携帯電話やＣＣＤカメラ等に使用されるコネクタは、狭ピッチで極薄（所謂軽薄短小）であり、主にハウジングとコンタクトと回動部材とを備え、ハウジングにフレキシブルプリント基板（以下「ＦＰＣ」という）を挿入し、前記回動部材を嵌合側もしくはその反対側で回転させることで、前記コンタクトの接触部を前記ＦＰＣに接触させる構造のものがある。
ハウジングには、コンタクトが挿入される所要数の挿入孔が設けられるとともにＦＰＣが挿入される嵌合口が設けられている。
コンタクトは主にＦＰＣと接触する接触部と基板等に接続する接続部とハウジングに固定される固定部とを備えている。このコンタクトは、圧入等によってハウジングに固定されている。
下記にＺＩＦタイプの所謂バックロックタイプとしての特許文献１（特開２００３−２９７４８９）と特許文献２（特開平１１−３０７１９８号）と本出願人が既に提案した特許文献３（特開２００４−７１１６０）を例示する。また、ＦＦＣをロックする構造として、特許文献４（実開平６−８２７８３号）及び本出願人が既に提案した特許文献５（特願２００３−４２２２５８）、特許文献６（特願２００４−３０７７９３）、特許文献７（特願２００５−１７８６６６）を例示する。
【特許文献１】特開２００３−２９７４８９の要約によると、アクチュエータを小さい操作力で操作でき、また、アクチュエータによるコンタクトの移動量を大きくして接続を確実に行うことができ、更に、低背のコネクタを提供することを目的とし、アクチュエータは、カム部と操作部を有し、前記両部の間に各コンタクトのばね部の先端付近が挿入脱出可能な逃げ溝を形成され、アクチュエータを支点を中心として９０°右回転すると、カム部は各コンタクトのばね部と連結ばね部を弾性変形させ、すると、接触部の突起と接触部の突起との間で、ＦＰＣは挟圧され、したがって、ＦＰＣのパターンは、各コンタクトの端子部を介してプリント基板に接続され、インシュレータの天井部は、各コンタクトの接触部を被覆し、天井部の前面側の下部には、ＦＰＣをコネクタに挿入するためのガイド部が形成された構造のコネクタが開示されている。
【特許文献２】特開平１１−３０７１９８号の要約によると、複数の端子を接続し、ＦＰＣ等を保持するプリント配線板用コネクターの操作性、保持性能を向上することを目的とし、ハウジングに、ＦＰＣ等が差し込まれる挿入溝を設け、複数のコンタクトを、接触部を挿入溝に対して突出後退自在に、並列して設け、操作部材を、接続位置と解除位置とに回動自在に設け、操作部材に、複数のカムを設け、操作部材が接続位置のとき、コンタクトが、カムに被操作部を押圧されて接触部を挿入溝に突出させ、ＦＰＣ等の端子に圧接して、端子を接続すると共にＦＰＣ等を保持し、操作部材が解除位置のとき、一部のコンタクトが、カムに被操作部を押圧されて接触部を挿入溝に対して僅かに突出させ、ＦＰＣ等に当接して、ＦＰＣ等を仮保持し、残りのコンタクトは、接触部を挿入溝に対して後退させる構造のプリント配線板用コネクターが開示されている。
【特許文献３】特開２００４−７１１６０の要約によると、各部位の強度や仕様等を損なうことなく、スライダーでＦＰＣ又はＦＦＣを確実にコンタクトの接触部に押圧することができ、作業性がよく、ピッチの狭小化や低背位化が可能なコネクタを提供することを目的とし、コンタクトの接触部と接続部との間に弾性部と支点部とを設けるとともに接触部と弾性部と支点部と接続部とを略クランク形状に配置し、かつ、接続部と対向する位置に弾性部から延設された押受部を設け、スライダーに長手方向に連設した押圧部を設け、押圧部がコンタクトの接続部と押受部との間で回動自在にスライダーをハウジングに装着する構造のコネクタが開示されている。
【特許文献４】実開平６−８２７８３号の要約によると、フレキシブルケーブルの裏面にリジットな補強板が取り付けられているフラットケーブルでも容易にスライダーの爪に係止させられることを目的とし、コンタクトピンを内装し、フラットケーブルを差し込む嵌合空間を形成したハウジングの嵌合空間内に、スライダーを挿抜自在に且つ抜き出し時に外側に回動可能に取り付け、前記嵌合空間にフラットケーブルを差し込んでからスライダーを嵌合空間に押し込むと、フラットケーブルがコンタクトピンに電気的に接続されるにおいて、前記スライダーのフラットケーブル当接面に、フレキシブルケーブルの裏面に補強板があてがわれたフラットケーブルのフレキシブルケーブル及び補強板に形成された係止部に挿入係止される係止突子を突設した構造のものが開示されている。
【特許文献５】ＦＰＣをロックする構造として、本出願人が提案した特願２００３−４２２２５８に、少芯数のコネクタでも、要求されたＦＰＣの保持力を確保することができ、接続不良にも繋がらないコネクタを提供することを目的に、ＦＰＣと着脱自在に嵌合するコネクタであって、ＦＰＣと接触する接触部を有する所要数のコンタクトと、このコンタクトが保持・固定されるとともにＦＰＣが挿入される嵌合口を有するハウジングとを備えるコネクタにおいて、ＦＰＣに係止部を設け、係止部と係合する係合部を有するロック部材をハウジングに装着し、ロック部材の係合部をＦＰＣの係止部に係合させることによりＦＰＣがハウジングから抜けないようにすることにより達成でき、更に前記係合部に対応した位置に溝部を設けることでより確実なロックができる構造のコネクタが開示されている。
【特許文献６】防塵性を高めるために、本出願人が提案した特願２００４−３０７７９３の要約には、ＦＰＣの挿入力が掛からないで、防塵性を高めるコネクタを提供することを目的とし、所要数のコンタクトとハウジングと回動部材とを備えるコネクタにおいて、コンタクトは少なくと接触部と接続部と支点部と連結部と押受部とを備え、略倒Ｈ形状に配置し、接続部と押受部との間で回動部材の押圧部を回動させると接触部が接続対象物に接続するような構造にし、ハウジングにはコンタクトの接触部を被覆する天井部と押受部を覆う上壁部とを備え、回動部材には操作部と押圧部と押受部と係止孔とカバー部とを備え、回動部材が回動した後、回動部材のカバー部でコンタクトテール側を覆うようにする構造のものが開示されている。
【特許文献７】防塵性を高めるために、本出願人が提案した特願２００５−１７８６６６の要約には、ＦＰＣの挿入力が掛からないで、防塵性を高めるコネクタを提供することを目的とし、所要数のコンタクトとハウジングと回動部材とを備えるコネクタにおいて、コンタクトは少なくと接触部と接続部と支点部と連結部と押受部とを備え、略倒Ｈ形状に配置し、接続部と押受部との間で回動部材の押圧部を回動させると接触部が接続対象物に接続するような構造にし、ハウジングにはコンタクトの接触部を被覆する天井部と押受部を覆う上壁部とを備え、回動部材には操作部と押圧部と押受部と係止孔とカバー部とを備え、回動部材が回動した後、上壁部の先端と操作部との間及び上壁部と回動部材の操作部と反対側の先端との間を、回動時に回動部材がハウジングの上壁部に触れない範囲で狭くする構造のものが開示されている。
【発明の開示】
【発明が解決しようとする課題】
【０００３】
コネクタ分野においても、上記特許文献１から７のように、カム構造を利用してＦＰＣ等の接続対象物にコンタクトを接触させるものが多く見られるようになってきている。上記特許文献１から７のコネクタは、回動部材等を用いて、コンタクトと接続対象物とを接触させるというものである。しかし、客先仕様によっては、部分的に接続対象物と接触しない部分（非接触）を設けたい場合や接触している部分をズラしたい場合等の接触若しくは非接触を変えたいことが起こってきている。このような要求に対して、上記特許文献１から７のような構造では対応することが出来なかった。
【０００４】
本発明は、このような従来の問題点に鑑みてなされたもので、カムを回動（回転）させる際に、接続対象物との接触若しくは非接触を変えることができるカム構造、コネクタ用カム構造及び該構造を使用するコネクタを提供せんとするものである。
【課題を解決するための手段】
【０００５】
上記目的は、電子部品内で回動（回転）することで他の部品と接触若しくは非接触させるカム構造において、カムのカム部形状を任意に変化させ、かつ、カムを回動（回転）させた際に、任意に変えた部分では他の部品と接触若しくは非接触することにより達成できる。ここでいう「任意」とは、仕様等によって接触若しくは非接触するかを適宜設計するという意味であり、カムの形状を変化させることで接触若しくは非接触を選択しているものである。
【０００６】
請求項２記載のカム構造は、カム部を任意に変化させたカムを交換することにより、他の部品との接触若しくは非接触させる位置を変えることを特徴とする請求項１記載のカム構造である。ここでいう「任意」も、上記と同様の意味である。
また、請求項３記載のカム構造は、カムを所定の距離だけ移動することにより他の部品との接触若しくは非接触させる位置を変えることを特徴とする請求項１記載のカム構造である。ここでいう「所定の距離」とは、仕様等によって変化した接触若しくは非接触する位置分だけカムを挿入方向に前後させるという意味である。
さらに、請求項４記載のカム構造は、カムのカム部の回動（回転）方向を逆方向に、９０度回動（回転）させることにより他の部品との接触若しくは非接触させる位置を変えることを特徴とする請求項１、２又は３記載のカム構造である。
【０００７】
コネクタ１０に上記カム構造は、コネクタ１０内で回動（回転）することで、コネクタ１０内に挿入される接続対象物とコンタクト１４、１６とを接触させるコネクタ用カム構造において、カムのカム部５４の形状を任意に変化させ、かつ、カムを回動（回転）させた際に、任意に変えた部分では前記接続対象物に前記コンタクト１４、１６が接触若しくは非接触することにより達成できる。ここでいう「任意」とは、仕様等によって接続対象物にコンタクト１４、１６毎で接触若しくは非接触するかを適宜設計するという意味であり、カムの形状を変化させることでコンタクト１４、１６毎に接触若しくは非接触を選択しているものである。
【０００８】
請求項６記載のコネクタ用カム構造は、カム部５４を任意に変化させたカムを交換することにより、接続対象物との接触若しくは非接触させる位置を変えることを特徴とする請求項５記載のコネクタ１０に使用するコネクタ用カム構造である。ここでいう「任意」も、上記と同様の意味である。
また、請求項７記載のコネクタ用カム構造は、カムを所定の距離だけ移動することにより接続対象物との接触若しくは非接触させる位置を変えることを特徴とする請求項５記載のコネクタ用カム構造である。ここでいう「所定の距離」とは、仕様等によって変化した接触若しくは非接触する位置分だけカムを挿入方向に前後させるという意味である。
さらに、請求項８記載のコネクタ用カム構造は、カムのカム部５４の回動（回転）方向を逆方向に、９０度回動（回転）させることにより接続対象物との接触若しくは非接触させる位置を変えることを特徴とする請求項５、６又は７記載のコネクタ用カム構造である。
【０００９】
上記カム構造をコネクタ１０に使用すると、接続対象物と着脱自在に嵌合するコネクタ１０であって、該接続対象物と接触する接触部２６を有する複数のコンタクト１４、１６と、該コンタクト１４、１６が保持・配列されるとともに前記接続対象物が挿入される嵌合口２０を有するハウジング１２と、前記コンタクト１４、１６を押圧するカム部５４を有する回動部材１８１、１８２、１８３とを備えるコネクタ１０において、前記ハウジング１２には前記回動部材１８１、１８２、１８３の挿抜手段を有し、前記コンタクト１４、１６は一端側に前記接続対象物と接触する接触部２６と他端側に前記回動部材１８１、１８２、１８３のカム部５４により押圧される押受部３２とを有し、前記回動部材１８１、１８２、１８３が前記コンタクト１４、１６の押受部３２を押圧し、かつ、前記ハウジング１２内で回動できるように装着されるとともに前記カム部５４の形状を任意に変化させ、かつ、カム部５４を回動（回転）させた際に、任意に変えた部分では前記接続対象物に前記コンタクト１４、１６が接触若しくは非接触することにより達成できる。ここでいう「任意」とは、仕様等によって接続対象物にコンタクト１４、１６毎で接触若しくは非接触するかを適宜設計するという意味であり、カムの形状を変化させることでコンタクト１４、１６毎に接触若しくは非接触を選択しているものである。
【００１０】
請求項１０記載のコネクタ１０は、カム部５４を任意に変化させた回動部材１８１を交換することにより、接続対象物との接触若しくは非接触させる位置を変えることを特徴とする請求項９記載のコネクタ１０である。ここでいう「任意」も、上記と同様の意味である。
また、請求項１１記載のコネクタ１０は、回動部材１８２を所定のピッチ距離分だけ移動することにより接続対象物との接触若しくは非接触させる位置を変えることを特徴とする請求項９記載のコネクタ１０である。ここでいう「所定のピッチ距離」とは、仕様等によって変化した接触若しくは非接触する位置分だけカムを挿入方向に前後させるという意味である。
さらに、請求項１２記載のコネクタ１０は、回動部材１８３のカム部５４の回動（回転）方向を逆方向に、９０度回動（回転）させることにより接続対象物との接触若しくは非接触させる位置を変えることを特徴とする請求項９、１０又は１１記載のコネクタ１０である。
【００１１】
請求項１３記載のコネクタ１０は、前記コンタクト１４は一端側に前記接続対象物と接触する接触部２６と他端側に前記回動部材１８１、１８２、１８３のカム部５４により押圧される押受部３２とを有する第一片２０と、一端側にもう一つの接触部２６若しくは固定部３８を有するとともに前記接触部２６と対向するように延設された延設部３６と他方側に基板と接続する接続部４０とを有する第二片２２と、前記第一片２０と前記第二片２２とを連結する連結支点部３０とを備え、前記ハウジング１２は前記コンタクト１４の接触部２６を被覆する天井部５０を有し、前記回動部材１８１、１８２、１８３は回動させるための操作部５６と長手方向に連設するとともに前記押受部３２を押圧するカム部５４とを備え、前記カム部５４が前記コンタクト１４の接続部４０と押受部３２との間で回動するように前記ハウジング１２に装着することを特徴とする請求項９、１０又は１１、１２記載のコネクタである。
また、請求項１４記載のコネクタ１０は、前記コンタクト１６は一端側に前記接続対象物と接触する接触部２６と他端側に前記回動部材１８１、１８２、１８３のカム部５４により押圧される押受部３２とを有する第一片２０と、一端側に基板に接続する接続部４０と他方側に前記押受部３２と対向するように延設された延設部３６とを有する第二片２２と、前記第一片２０と前記第二片２２とを連結する連結支点部３０とを備え、前記ハウジング１２は前記コンタクト１６の接触部２６を被覆する天井部５０を有し、前記回動部材１８１、１８２、１８３は回動させるための操作部５６と長手方向に連設するとともに前記押受部３２を押圧するカム部５４とを備え、前記カム部５４が前記コンタクト１６の延設部３６と押受部３２との間で回動するように前記ハウジング１２に装着することを特徴とする請求項９、１０又は１１、１２記載のコネクタ１０である。
さらに、請求項１５記載のコネクタ１０は、前記接続部４０と連結支点部３０との中間にもう一つの接触部２６を設けることを特徴とする請求項１４記載のコネクタ１０である。
請求項１６記載のコネクタ１０は、請求項１３及び請求項１４記載の前記コンタクト１４、１６を千鳥に配列することを特徴とするコネクタ１０である。
【発明の効果】
【００１２】
以上の説明から明らかなように、本発明のカム構造と該カム構造を使用するコネクタ１０によると、次のような優れた顕著な効果が得られる。
（１）電子部品内で回動（回転）することで他の部品と接触若しくは非接触させるカム構造において、カムのカム部形状を任意に変化させ、かつ、カムを回動（回転）させた際に、任意に変えた部分では他の部品と接触若しくは非接触させているので、客先仕様対応して容易に接触する部分と非接触する部分を変えることができ、かつ、任意に接触する部分と非接触する部分を選択でき、電子部品の低背化や小型化が可能である。
（２）請求項２記載のカム構造は、カム部を任意に変化させたカムを交換することにより、他の部品との接触若しくは非接触させる位置を変えているので、カム交換させるだけで、客先仕様対応して容易に接触する部分と非接触する部分を変えることができ、かつ、任意に接触する部分と非接触する部分を選択でき、電子部品の低背化や小型化が可能である。
（３）請求項３記載のカム構造は、カムを所定の距離だけ移動することにより他の部品との接触若しくは非接触させる位置を変えているので、カムを移動するだけで、客先仕様対応して容易に接触する部分と非接触する部分を変えることができ、かつ、任意に接触する部分と非接触する部分を選択でき、電子部品の低背化や小型化が可能である。
（４）請求項４記載のカム構造は、カムのカム部の回動（回転）方向を逆方向に、９０度回動（回転）させることにより他の部品との接触若しくは非接触させる位置を変えているので、カムを回動（回転）する方向を９０度変えるだけで、客先仕様対応して容易に接触する部分と非接触する部分を変えることができ、かつ、任意に接触する部分と非接触する部分を選択でき、電子部品の低背化や小型化が可能である。
【００１３】
（５）コネクタ１０内で回動（回転）することで、コネクタ１０内に挿入される接続対象物とコンタクト１４、１６とを接触させるコネクタ用カム構造において、カムのカム部５４の形状を任意に変化させ、かつ、カムを回動（回転）させた際に、任意に変えた部分では前記接続対象物に前記コンタクト１４、１６が接触若しくは非接触させているので、客先仕様対応して容易に接触する部分と非接触する部分を変えることができ、かつ、任意に接触する部分と非接触する部分を選択でき、コネクタの低背化や小型化が可能である。
（６）請求項６記載のコネクタ用カム構造は、カム部５４を任意に変化させたカムを交換することにより、接続対象物との接触若しくは非接触させる位置を変えているので、カム交換させるだけで、客先仕様対応して容易に接触する部分と非接触する部分を変えることができ、かつ、任意に接触する部分と非接触する部分を選択でき、コネクタの低背化や小型化が可能である。
（７）請求項７記載のコネクタ用カム構造は、カムを所定の距離だけ移動することにより接続対象物との接触若しくは非接触させる位置を変えているので、カム交換させるだけで、客先仕様対応して容易に接触する部分と非接触する部分を変えることができ、かつ、任意に接触する部分と非接触する部分を選択でき、コネクタの低背化や小型化が可能である。
（８）請求項８記載のコネクタ用カム構造は、カムのカム部５４の回動（回転）方向を逆方向に、９０度回動（回転）させることにより接続対象物との接触若しくは非接触させる位置を変えているので、カムを回動（回転）する方向を９０度変えるだけで、客先仕様対応して容易に接触する部分と非接触する部分を変えることができ、かつ、任意に接触する部分と非接触する部分を選択でき、コネクタの低背化や小型化が可能である。
【００１４】
（９）接続対象物と着脱自在に嵌合するコネクタ１０であって、該接続対象物と接触する接触部２６を有する複数のコンタクト１４、１６と、該コンタクト１４、１６が保持・配列されるとともに前記接続対象物が挿入される嵌合口２０を有するハウジング１２と、前記コンタクト１４、１６を押圧するカム部５４を有する回動部材１８１、１８２、１８３とを備えるコネクタ１０において、前記ハウジング１２には前記回動部材１８１、１８２、１８３の挿抜手段を有し、前記コンタクト１４、１６は一端側に前記接続対象物と接触する接触部２６と他端側に前記回動部材１８１、１８２、１８３のカム部５４により押圧される押受部３２とを有し、前記回動部材１８１、１８２、１８３が前記コンタクト１４、１６の押受部３２を押圧し、かつ、前記ハウジング１２内で回動できるように装着されるとともに前記カム部５４の形状を任意に変化させ、かつ、カム部５４を回動（回転）させた際に、任意に変えた部分では前記接続対象物に前記コンタクト１４、１６が接触若しくは非接触させているので、客先仕様対応して容易に接触する部分と非接触する部分を変えることができ、かつ、任意に接触する部分と非接触する部分を選択でき、コネクタの低背化や小型化が可能である。
（１０）請求項１０記載のコネクタ１０は、カム部５４を任意に変化させた回動部材１８１を交換することにより、接続対象物との接触若しくは非接触させる位置を変えているので、カム交換させるだけで、客先仕様対応して容易に接触する部分と非接触する部分を変えることができ、かつ、任意に接触する部分と非接触する部分を選択でき、コネクタの低背化や小型化が可能である。
（１１）請求項１１記載のコネクタ１０は、回動部材１８２を所定のピッチ距離分だけ移動することにより接続対象物との接触若しくは非接触させる位置を変えているので、カム交換させるだけで、客先仕様対応して容易に接触する部分と非接触する部分を変えることができ、かつ、任意に接触する部分と非接触する部分を選択でき、コネクタの低背化や小型化が可能である。
（１２）請求項１２記載のコネクタ１０は、回動部材１８３のカム部５４の回動（回転）方向を逆方向に、９０度回動（回転）させることにより接続対象物との接触若しくは非接触させる位置を変えているので、カムを回動（回転）する方向を９０度変えるだけで、客先仕様対応して容易に接触する部分と非接触する部分を変えることができ、かつ、任意に接触する部分と非接触する部分を選択でき、コネクタの低背化や小型化が可能である。
（１３）請求項１３記載のコネクタ１０は、前記コンタクト１４は一端側に前記接続対象物と接触する接触部２６と他端側に前記回動部材１８１、１８２、１８３のカム部５４により押圧される押受部３２とを有する第一片２０と、一端側にもう一つの接触部２６若しくは固定部３８を有するとともに前記接触部２６と対向するように延設された延設部３６と他方側に基板と接続する接続部４０とを有する第二片２２と、前記第一片２０と前記第二片２２とを連結する連結支点部３０とを備え、前記ハウジング１２は前記コンタクト１４の接触部２６を被覆する天井部５０を有し、前記回動部材１８１、１８２、１８３は回動させるための操作部５６と長手方向に連設するとともに前記押受部３２を押圧するカム部５４とを備え、前記カム部５４が前記コンタクト１４の接続部４０と押受部３２との間で回動するように前記ハウジング１２に装着しているので、客先仕様対応して容易に接触する部分と非接触する部分を変えることができ、かつ、任意に接触する部分と非接触する部分を選択できるコネクタ１０を提供できる。
（１４）請求項１４記載のコネクタ１０は、前記コンタクト１６は一端側に前記接続対象物と接触する接触部２６と他端側に前記回動部材１８１、１８２、１８３のカム部５４により押圧される押受部３２とを有する第一片２０と、一端側に基板に接続する接続部４０と他方側に前記押受部３２と対向するように延設された延設部３６とを有する第二片２２と、前記第一片２０と前記第二片２２とを連結する連結支点部３０とを備え、前記ハウジング１２は前記コンタクト１６の接触部２６を被覆する天井部５０を有し、前記回動部材１８１、１８２、１８３は回動させるための操作部５６と長手方向に連設するとともに前記押受部３２を押圧するカム部５４とを備え、前記カム部５４が前記コンタクト１６の延設部３６と押受部３２との間で回動するように前記ハウジング１２に装着しているので、客先仕様対応して容易に接触する部分と非接触する部分を変えることができ、かつ、任意に接触する部分と非接触する部分を選択できるコネクタ１０を提供できる。
（１５）請求項１５記載のコネクタ１０は、前記接続部４０と連結支点部３０との中間にもう一つの接触部２６を設けているので、客先仕様対応して容易に接触する部分と非接触する部分を変えることができ、かつ、任意に接触する部分と非接触する部分を選択できるコネクタを提供でき、安定した接続を得ることができる。
（１６）請求項１６記載のコネクタ１０は、請求項１３及び請求項１４記載の前記コンタクト１４、１６を千鳥に配列しているので、より一層の狭ピッチが可能になる。
【発明を実施するための最良の形態】
【００１５】
本発明のポイントは、他の部品（例えば、ＦＰＣ８０やフレキシブルフラットケーブル（以下「ＦＦＣ」という）や基板など）と接触若しくは非接触させる場合に、カム構造を使用したものである。つまり、本発明では、カムのカム部形状を任意に変化させ、かつ、カムを回動（回転）させた際に、任意に変えた部分により他の部品と接触若しくは非接触させるものである。ここでいう「任意」とは、仕様等によって接触若しくは非接触するかを適宜設計するという意味であり、カムの形状を変化させることで接触若しくは非接触を選択しているものである。
カム部を任意に変化させる方法には、次の３通りが考えられる。
第一に、カム部を任意に変化させたカムを交換することにより、他の部品との接触若しくは非接触させる位置を変えることである。この方法は、必要な分だけのカムを予め用意しており、仕様に応じてカムを交換するものである。ここでいう「任意」も、上記と同様の意味である。
第二に、カムを所定の距離だけ移動することにより他の部品との接触若しくは非接触させる位置を変えることである。この方法は、１つのカムを使用して、仕様に応じてカムを挿入方向に前後させることにより、接触若しくは非接触させる部分を変化させるものである。ここでいう「所定の距離」とは、仕様等によって変化した接触若しくは非接触する位置分だけカムを挿入方向に前後させるという意味である。
第三に、カムのカム部の回動（回転）方向を逆方向に、９０度回動（回転）させることにより他の部品との接触若しくは非接触させる位置を変えることである。この方法は、１つのカムを使用して、回動（回転）方向を変えることにより同一箇所で接触若しくは非接触を変化させるものである。つまり、カムを９０度若しくは−９０度回動（回転）させることにより同一箇所で、接触と非接触かを変えるものである。
また、第一と第三とを組み合わせることや第二と第三とを組み合わせることもできる。このような組み合わせをすることで、場所場所で接触か非接触かを変えることもでき、かつ、同一箇所で接触か非接触かを変えることが可能になる。
【実施例】
【００１６】
以下では、図１から図１３に基づいて、本発明のカム構造を使用するコネクタの一実施例について説明する。以下では、カムを回動部材１８１、１８２、１８３と称する。図１（Ａ）は交換方式に使用する回動部材の斜視図であり、（Ｂ）は移動方式に使用する回動部材の斜視図であり、（Ｃ）は回動（回転）方向を変える回動部材の斜視図である。図２（Ａ）は図１（Ａ）とは別の交換方式の回動部材の斜視図であり、（Ｂ）は図１（Ｂ）のａ部拡大図である。図３（Ａ）は交換方式及び移動方式の回動部材のカム部拡大図であり、（Ｂ）は回動（回転）方向を変える回動部材の９０度回動状態のカム部拡大図であり、（Ｃ）は回動（回転）方向を変える回動部材の−９０度回動状態のカム部拡大図である。図４（Ａ）は回動部材が装着されてない場合のＦＰＣ挿入側よりみたコネクタの斜視図であり、（Ｂ）は回動部材が装着されてない場合のＦＰＣ挿入方向と反対側よりみたコネクタの斜視図である。図５（Ａ）はＦＰＣ挿入側よりみた交換方式に使用する回動部材を挿入したコネクタの斜視図であり、（Ｂ）はＦＰＣ挿入側よりみた移動方式に使用する回動部材を挿入したコネクタの斜視図あり、（Ｃ）はＦＰＣ挿入側よりみた回動（回転）方向を変える回動部材を挿入したコネクタの斜視図である。図６はハウジングの斜視図である。図７（Ａ）は一方のコンタクトの斜視図であり、（Ｂ）はもう一方のコンタクトの斜視図である。図８（Ａ）は交換方式に使用する回動部材を挿入し、回動部材が開いた（非接触）状態の一方のコンタクト部分の断面図であり、（Ｂ）は交換方式に使用する回動部材を挿入し、回動部材が閉じた（接触）状態の一方のコンタクト部分の断面図である。図９（Ａ）は交換方式に使用する回動部材を挿入し、回動部材が開いた（非接触）状態のもう一方のコンタクト部分の断面図であり、（Ｂ）は交換方式に使用する回動部材を挿入し、回動部材が閉じた（接触）状態のもう一方のコンタクト部分の断面図である。図１０（Ａ）は移動方式に使用する回動部材を挿入し、回動部材が開いた（非接触）状態の一方のコンタクト部分の断面図であり、（Ｂ）は移動方式に使用する回動部材を挿入し、回動部材が閉じた（接触）状態の一方のコンタクト部分の断面図である。図１１（Ａ）は移動方式に使用する回動部材を挿入し、回動部材が開いた（非接触）状態のもう一方のコンタクト部分の断面図であり、（Ｂ）は移動方式に使用する回動部材を挿入し、回動部材が閉じた（接触）状態のもう一方のコンタクト部分の断面図である。図１２（Ａ）は回動（回転）方向を変える回動部材を挿入し、回動部材が開いた（非接触）状態の一方のコンタクト部分の断面図であり、（Ｂ）は回動（回転）方向を変える回動部材を挿入し、回動部材が閉じた（接触）状態の一方のコンタクト部分の断面図である。図１３（Ａ）は回動（回転）方向を変える回動部材を挿入し、回動部材が開いた（非接触）状態のもう一方のコンタクト部分の断面図であり、（Ｂ）は回動（回転）方向を変える回動部材を挿入し、回動部材が閉じた（接触）状態のもう一方のコンタクト部分の断面図である。
一実施例の本発明のコネクタ１０は、主にハウジング１２と回動部材１８１、１８２、１８３とコンタクト１４、１６とを備えている。該コネクタ１０は、２種類のコンタクト１４、１６をハウジング１２への挿入方向を変えて千鳥に配列しており、挿入方向を変えて千鳥に配列することによってピッチの狭小化と低背位化に対応させたものである。
【００１７】
まず、図１に基づいて、コネクタ１０に使用する５つのカム構造について説明する。
第一番目は、図１（Ａ）のように、回動部材１８１のカム部５４を任意に変化させた回動部材１８１を交換することにより、他の部品との接触若しくは非接触させる位置を変えるものである。この方法は、必要な分だけの回動部材１８１を予め用意しておき、仕様に応じて回動部材１８１を交換するものである。図１（Ａ）の回動部材１８１は、前記回動部材１８１を回動（回転）させることにより、１６〜６９端子が接触し、１〜１５端子と７０〜８５端子が接触しない（非接触）構造になっている。交換方式の別の回動部材１８１としては、例えば、図２（Ａ）のように、前記回動部材１８１を回動（回転）させることにより、１〜３０端子と５６〜８５端子が接触し、３１〜５５端子が接触しない（非接触）構造になっている。
第二番目は、図１（Ｂ）のように、回動部材１８２を所定の距離だけ移動することにより他の部品との接触若しくは非接触させる位置を変えるものである。この方法は、１つの回動部材１８２を使用し、仕様に応じて回動部材１８２を挿入方向に前後させることにより、接触若しくは非接触させる部分を変化させるものである。図１（Ｂ）の回動部材１８２は、前記回動部材１８２を回動（回転）させることにより、１〜１０端子と２１〜３０端子と４１〜５０端子と６１〜７０端子と８１〜８５端子が接触し、１１〜２０端子と３１〜４０端子と５１〜６０端子と７１〜８０端子が接触しない（非接触）構造になっている。
第三番目は、図１（Ｃ）のように、回動部材１８３のカム部５４の回動（回転）方向を逆方向に、９０度回動（回転）させることにより他の部品との接触若しくは非接触させる位置を変えるものである。この方法は、１つの回動部材１８３を使用し、回動（回転）方向を変えることにより同一箇所で接触若しくは非接触を変化させるものである。つまり、回動部材１８３を９０度若しくは−９０度回動（回転）させることにより同一箇所で、接触と非接触かを変えるものである。図１（Ｃ）の回動部材１８３は、前記回動部材１８３を挿入方向に対して９０度回動（回転）させることにより、１〜４０端子が接触し、４１〜８５端子が接触しない（非接触）構造で、前記回動部材１８３を挿入方向に対して−９０度回動（回転）させることにより、４１〜８５端子が接触し、１〜４０端子が接触しない（非接触）構造になっている。
また、図示はしないが、次のようなカム構造も可能である。
第四番目は、第一番目と第三番目とを組合わせたものである。つまり、交換方式の回動部材１８１に、逆回動（回転）することで接触若しくは非接触することができる（第三場番目）構造を任意に箇所に形成しておけば、芯数毎の接触／非接触も可能で、かつ、同一箇所での接触／非接触も可能になる。
第五番目は、第二番目と第三番目とを組合わせたものである。つまり、移動方式の回動部材１８２に、逆回動（回転）することで接触若しくは非接触することができる（第三場番目）構造を任意に箇所に形成しておけば、芯数毎の接触／非接触も可能で、かつ、同一箇所での接触／非接触も可能になる。
【００１８】
以下で、上記カム構造を使用した回動部材１８１、１８２、１８３について説明する。この回動部材１８１、１８２、１８３は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００１９】
前記回動部材１８１、１８２、１８３は主に前記回動部材１８１、１８２、１８３を操作する操作部５６と前記コンタクト１４、１６の押受部３２を押圧するカム部５４を備えている。本実施例では、前記回動部材１８１、１８２、１８３を略棒状片にしている。
第二番目の移動方式（図１（Ｂ）のタイプ）は、図１（Ｂ）及び図２（Ｂ）のように１芯ごとに突起６４を設け、移動した後に前記突起６４を隣接する前記コンタクト１４、１６間に入れることで位置決めを行っている。また、別の方法としては、回動部材１８２の長手方向両側若しくは一方側に複数の係合孔を設け、該係合孔に入る係合部材を準備しておき、該係合部材を所定の位置の前記係合孔に係合することで位置決めと移動距離を決めている。
【００２０】
前記回動部材１８１、１８２、１８３の前記カム部５４は、コンタクト１４、１６の押受部３２に押し付ける部分である。その形状としては、前記コンタクト１４、１６の接触部２６が接続対象物に接触するか接触しないかによって適宜設計する。前記コンタクト１４、１６の接触部２６を接続対象物（ＦＰＣ８０）に接触させたい場合は、細長形状にすることが望ましく、本実施例では略楕円形状をしている。このように楕円形状にすることによって、コンタクト１４、１６の押受部３２と接続部４０の突出台４４との間で回転させることで、カム部５４の大きさの変化によりコンタクト１４、１６の押受部３２が持ち上げられ、ＦＰＣ８０をコンタクト１４、１６の接触部２６側に押し付けている。接触させる部分のカム部５４の形状としては、コンタクト１４、１６の押受部３２と接続部４０の突出台４４との間で回転でき、長軸と短軸といった大きさの違いによりコンタクト１４、１６の押受部３２を押し上げられ、図８から図１３のように前記コンタクト１４、１６の接触部２６が接続対象物（ＦＰＣ８０）に接触すれば、如何なるものでもよい。接触させる部分の前記カム部５４の形状や大きさは、このようなことを考慮して適宜設計する。      
【００２１】
前記回動部材１８１、１８２、１８３の前記カム部５４は、コンタクト１４、１６の押受部３２に押し付ける部分であるが、前記コンタクト１４、１６の接触部２６を接続対象物（ＦＰＣ８０）に接触させない部分（非接触部分）の形状としては、前記コンタクト１４、１６の押受部３２を押圧しないように切欠部分５７にしている。つまり、前記カム部５４の形状は、仕様に応じて、本実施例では略楕円形状（凸部分５５）と切欠部分５７との組み合わせにより接触／非接触とを行っている。
第三番目の逆回動（回転）方式の前記カム部５４の形状は略Ｘ形状をしており、９０度回動した際に接触させたい部分であれば、上記のように略楕円形状（凸部分５５）とし、逆に−９０度回動した際の形状は切欠部分５７にしている。また、−９０度回動した際に接触させたい部分であれば、上記のように略楕円形状（凸部分５５）とし、逆に９０度回動した際の形状は切欠部分５７にしている。つまり、カム部５４の形状としては、第一番目の交換方式と第二番目の移動方式の場合は図３（Ａ）のように凸部分５５と切欠部分５７との組合せになっており、第三番目の逆回動（回転）方式の場合は９０度回動した際に接触する図３（Ｂ）と−９０度回動した際に接触する図３（Ｃ）の組合せになっている。
また、前記回動部材１８１、１８２、１８３には、操作性を考慮して、操作部５６が設けられている。特徴的なのは、一方の前記コンタクト１４の押受部３２と突出台４４との間で回動することで、一方及びもう一方の前記コンタクト１４、１６の押受部３２を押し上げて、一方及びもう一方の前記コンタクト１４、１６の接触部２６をＦＰＣ８０に接触させている。
【００２２】
上述した前記回動部材１８１、１８２、１８３は前記ハウジング１２の嵌合口２０と反対側（一方のコンタクト１４の接続部側）に回動自在に装着されている。前記回動部材１８は、一方のコンタクト１４の接続部４０方向から、一方並びにもう一方のコンタクト１４、１６とが前記ハウジング１２に固定された後に、挿入され、保持されている。
【００２３】
次に、ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００２４】
前記ハウジング１２には、所要数のコンタクト１４、１６が装着される挿入溝４８が設けられており、圧入や引っ掛け（ランス）や溶着等によって固定されている。また、前記ハウジング１２には前記ＦＰＣ８０が挿入される嵌合口２０が設けられ、前記嵌合口２０の大きさは前記ＦＰＣ８０が挿入でき、前記ＦＰＣ８０が挿入された際に前記回動部材１８、１８２、１８３で前記コンタクト１４、１６に押圧できるように適宜設計されている。前記ハウジング１２には前記回動部材１８１、１８２、１８３の挿抜手段が設けられている。当該挿抜手段としては、前記回動部材１８１、１８２、１８３を挿入方向に挿入孔６２を設け、手や治具等で挿抜することや前記挿入孔６２に代えて嵌合口２０と反対側に連設する溝を設け、手や治具等で嵌合口２０と反対側から挿抜することが考えられる。本実施例では、前記ハウジング１２の長手方向一方側に、前記回動部材１８１、１８２、１８３を挿入する挿入孔６２が設けらている。前記挿入孔６２は前記回動部材１８１、１８２、１８３が挿入でき、回動（回転）できればよく、前記回動部材１８１、１８２、１８３の形状や嵌入性等を考慮して適宜設計する。第二番目の移動方式（図１（Ｂ）のタイプ）の場合には、必要に応じて、長手方向両側に前記挿入孔６２を設ける。この挿抜の場合には、前記回動部材１８１、１８２、１８３の先端に誘い部を設けることが望ましく、先端にテーパや面取りやＲを設けている。
【００２５】
第一番目の交換方式（図１（Ａ）のタイプ）と第三番目の逆回転方式（図１（Ｃ）のタイプ）は、前記挿入孔６２の反対側で、かつ、内壁側に凹部を設けて、前記回動部材１８１、１８３の先端が前記凹部に突き当たるまで挿入することで位置決めをすると同時に先端が凹部に係合することで回転軸としての作用も持たせている。
第二番目の移動方式（図１（Ｂ）のタイプ）は、図１（Ｂ）及び図２（Ｂ）のように１芯ごとに突起６４を設け、移動した後に前記突起６４を隣接する前記コンタクト１４、１６間に入れることで位置決めを行っている。また、別の方法としては、回動部材１８２の長手方向両側若しくは一方側に複数の係合孔を設け、該係合孔に入る係合部材を準備しておき、該係合部材を所定の位置の前記係合孔に係合することで位置決めと移動距離を決めている。第二番目の移動方式（図１（Ｂ）のタイプ）は前記回動部材１８２が嵌入される側と反対側に設けられた挿入孔６２を円形にし、前記回動部材１８２の挿入側先端を円柱形にし、それぞれを係合させることで回転軸としての作用を持たせている。
【００２６】
前記ハウジング１２には、前記コンタクト１４、１６の接触部２６、２６を被覆する天井部５０が設けられている。前記天井部５０は、前記コンタクト１４、１６の防塵性を高めるためのものであり、その大きさや形状はこの役割や前記ハウジング１２の強度や前記回動部材１８の回動性や強度等を考慮して適宜設計する。低背化を考慮して、前記ハウジング１２の肉厚は出来るかぎり薄くしている。
【００２７】
次に、図７に基づいて、２種類のコンタクト１４、１６について説明する。この２種類のコンタクト１４、１６は金属製であり、公知技術のプレス加工によって製作されている。前記コンタクト１４、１６の材質としては、バネ性や導電性などが要求されるので、黄銅やベリリウム銅やリン青銅等を挙げることができる。
【００２８】
最初に、図７（Ａ）の一方のコンタクト１４について説明する。一方の前記コンタクト１４は図７（Ａ）のように倒略Ｈ形状をし、少なくとも前記ＦＰＣ８０と接触する接触部２６（図７（Ａ）の図面の上側）と基板等に接続する接続部４０と前記ハウジング１２に固定する固定部３８と連結支点部３０と回動部材１８によって押圧される押受部３２とを備えている。前記接触部２６（図７（Ａ）の図面の上側）と前記押受部３２とは板状片の第一片２２の両端に設けられている。一端側に前記ハウジング１２に挿入される固定部３８を有するとともに前記接触部２６（図７（Ａ）の図面の上側）と対向するように延設された延設部３６と他端側に基板と接続する接続部４０とを有する第ニ片２４を備え、前記第一片２２と前記第二片２４はほぼ中間付近で連結支点部３０によって連結されている。前記接触部２６と前記連結支点部３０と前記接続部４０とは略クランク形状に配置されており、前記接続部４０には前記押受部３２側に突出するような突出台４４が設けられ、前記押受部３２と前記突出台４４との間で前記回動部材１８のカム部５４が回動するようなっている。本実施例では前記コンタクト１４の連結支点部３０付近に、前記嵌合口２０と反対方向に傾斜する傾斜部２８が設けられている。該傾斜部２８を設けることで、低背化を図っている。また、前記突出台４４は前記回動部材１８のカム部５４が回動する際に安定した回動をするために、押受部３２と接続部４０との間の間隔を調整するためのものであり、突出量はこのようなことを考慮して適宜設計する。
【００２９】
前記接続部４０の配置位置としては、基板のランド位置や基板のパターン位置や狭スペース等を考慮して適宜設計する。即ち、前記接続部４０は要求仕様に応じて、前記接触部２６に対向する側や前記押受部３２に対向する側に設けられることになり、また、ランドの位置によっては千鳥に設けることもある。一方の前記コンタクト１４では、前記接続部４０を前記押受部３２に対向する側に設けている。前記接触部２６は、ＦＰＣ８０と接触し易いように凸部形状にしており、前記接続部４０は本実施例では図７（Ａ）のように表面実装タイプ（ＳＭＴ）にしているが、ディップタイプでも良い。前記ＦＰＣ８０の仕様によっては、前記接触部２６と対向する側にも接触部２６を設ける場合もある。即ち、２つの接触部２６、２６を設けて、前記ＦＰＣ８０を挟持するようにしてもよい。本実施例では、一方の前記コンタクト１４では、前記連結支点部３０から前記接触部２６に対向するように延設した延設部３６を設け、該延設部３６上に前記ハウジング１２に固定するための固定部３８を設けている。前記固定部３８の大きさや形状は、保持力や前記ハウジング１２の強度等を考慮して適宜設計する。
【００３０】
前記連結支点部３０と前記押受部３２とは、前記ＦＰＣ８０が挿入された際に、次のような作用を果たすための部分である。前記ＦＰＣ８０が前記ハウジング１２の嵌合口２０内に挿入された後に、前記回動部材１８のカム部５４が前記コンタクト１４の接続部４０の突出台４４と押受部３２との間で回動すると、前記押受部３２がカム部５４によって押し上げられることで前記コンタクト１４の連結支点部３０の下端（図７（Ａ）の下側）を支点にし、前記コンタクト１４の連結支点部３０の上端が前記接触部２６側に傾くことによって、前記接触部２６が前記ＦＰＣ８０側に押圧される。前記連結支点部３０と前記押受部３２の大きさや形状は、このような作用を果たすために、適宜設計されている。
【００３１】
次に、もう一方のコンタクト１６について説明する。ここでは、上述した一方のコンタクト１４との相違部分についてのみ説明する。もう一方の前記コンタクト１６も図７（Ｂ）のように一方の前記コンタクト１４と同様に倒略Ｈ字形状をしており、主にＦＰＣ８０と接触する接触部２６（図７（Ｂ）の図面の上側）と基板に接続する接続部４０とハウジング１２に固定する固定部３８と連結支点部３０と前記回動部材１８のよって押圧される押受部３２とを備えている。これらの前記接触部２６（図７（Ｂ）の図面の上側）と前記連結支点部３０と前記接続部４０は、略倒Ｕ字形状に配置されている。前記接続部４０は、一方のコンタクトと同様に表面実装タイプ（ＳＭＴ）にしているが、ディップタイプでも良い。
【００３２】
一方の前記コンタクト１４ともう一方の前記コンタクト１６の相違点は、幾分形状的な違いはあるものの前記接続部４０と前記延設部３６とが逆にしただけである。即ち、一方の前記コンタクト１４では、前記接続部４０を前記押受部３２と対向する側に、前記延設部３６を前記接触部２６（図７（Ａ）の図面の上側）と対向する側に設けているのに対し、もう一方の前記コンタクト１６では、前記接続部４０を前記接触部２６（図７（Ｂ）の図面の上側）と対向する側に、前記延設部３６を前記押受部３２と対向する側に設けている。もう一方の前記コンタクト１６の延設部３６に前記ハウジング１２に固定するための固定部３８を設けている。
【産業上の利用可能性】
【００３３】
本発明の活用例としては、薄型テレビやリアプロジェクション等の電気又は電子機器に使用されるＦＰＣ８０を使用したコネクタに活用され、特にカムの形状を変化させることで相手物との接触若しくは非接触を任意に変えることができるカム構造に関するものである。
【図面の簡単な説明】
【００３４】
【図１】（Ａ）  交換方式に使用する回動部材の斜視図である。（Ｂ）  移動方式に使用する回動部材の斜視図ある。（Ｃ）  回動（回転）方向を変える回動部材の斜視図である。
【図２】（Ａ）  図１（Ａ）とは別の交換方式の回動部材の斜視図である。（Ｂ）  図１（Ｂ）のａ部拡大図である。
【図３】（Ａ）  交換方式及び移動方式の回動部材のカム部拡大図である。（Ｂ）  回動（回転）方向を変える回動部材の９０度回動状態のカム部拡大図である。（Ｃ）  回動（回転）方向を変える回動部材の−９０度回動状態のカム部拡大図である。
【図４】（Ａ）  回動部材が装着されてない場合のＦＰＣ挿入側よりみたコネクタの斜視図である。（Ｂ）  回動部材が装着されてない場合のＦＰＣ挿入方向と反対側よりみたコネクタの斜視図である。
【図５】（Ａ）  ＦＰＣ挿入側よりみた交換方式に使用する回動部材を挿入したコネクタの斜視図である。（Ｂ）  ＦＰＣ挿入側よりみた移動方式に使用する回動部材を挿入したコネクタの斜視図ある。（Ｃ）  ＦＰＣ挿入側よりみた回動（回転）方向を変える回動部材を挿入したコネクタの斜視図である。
【図６】ハウジングの斜視図である。
【図７】（Ａ）  一方のコンタクトの斜視図である。（Ｂ）  もう一方のコンタクトの斜視図である。
【図８】（Ａ）  交換方式に使用する回動部材を挿入し、回動部材が開いた（非接触）状態の一方のコンタクト部分の断面図である。（Ｂ）  交換方式に使用する回動部材を挿入し、回動部材が閉じた（接触）状態の一方のコンタクト部分の断面図である。
【図９】（Ａ）  交換方式に使用する回動部材を挿入し、回動部材が開いた（非接触）状態のもう一方のコンタクト部分の断面図である。（Ｂ）  交換方式に使用する回動部材を挿入し、回動部材が閉じた（接触）状態のもう一方のコンタクト部分の断面図である。
【図１０】（Ａ）  移動方式に使用する回動部材を挿入し、回動部材が開いた（非接触）状態の一方のコンタクト部分の断面図である。（Ｂ）  移動方式に使用する回動部材を挿入し、回動部材が閉じた（接触）状態の一方のコンタクト部分の断面図である。
【図１１】（Ａ）  移動方式に使用する回動部材を挿入し、回動部材が開いた（非接触）状態のもう一方のコンタクト部分の断面図である。（Ｂ）  移動方式に使用する回動部材を挿入し、回動部材が閉じた（接触）状態のもう一方のコンタクト部分の断面図である。
【図１２】（Ａ）  回動（回転）方向を変える回動部材を挿入し、回動部材が開いた（非接触）状態の一方のコンタクト部分の断面図である。（Ｂ）  回動（回転）方向を変える回動部材を挿入し、回動部材が閉じた（接触）状態の一方のコンタクト部分の断面図である。
【図１３】（Ａ）  回動（回転）方向を変える回動部材を挿入し、回動部材が開いた（非接触）状態のもう一方のコンタクト部分の断面図である。（Ｂ）  回動（回転）方向を変える回動部材を挿入し、回動部材が閉じた（接触）状態のもう一方のコンタクト部分の断面図である。
【符号の説明】
【００３５】
１０                          コネクタ
１２                          ハウジング
１４、１６                    コンタクト
１８１、１８２、１８３        回動部材
２０                          嵌合口
２２                          第一片
２４                          第二片
２６                          接触部
２８                          傾斜部
３０                          連結支点部
３２                          押受部
３４                          接触片
３６                          延設部
３８                          固定部
４０                          接続部
４２                          突出部
４４                          突出台
４６                          係合部
４８                          挿入溝
５０                          天井部
５４                          カム部
５５                          凸部分（接触）
５６                          操作部
５７                          切欠部分（非接触）
５８                          係止孔
６２                          挿入孔
６４                          突起
８０                          ＦＰＣ（フレキシブルプリント基板）
【図１】
2008059883.tif 000003
【図２】
2008059883.tif 000004
【図３】
2008059883.tif 000005
【図４】
2008059883.tif 000006
【図５】
2008059883.tif 000007
【図６】
2008059883.tif 000008
【図７】
2008059883.tif 000009
【図８】
2008059883.tif 000010
【図９】
2008059883.tif 000011
【図１０】
2008059883.tif 000012
【図１１】
2008059883.tif 000013
【図１２】
2008059883.tif 000014
【図１３】
2008059883.tif 000015